(57)【特許請求の範囲】
【請求項１】
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第２の鉛直部材に対する前記水平部材の固定状態と固定解除状態を切り替え可能な固定手段と、を有し、
前記基部は、前記第１の鉛直部材に対して前記第２の鉛直部材とは反対側で、第１の型枠パネルを支持する第１のパネル支持部を有し、
前記水平部材は、前記第１の型枠パネルに対向する第２の型枠パネルを、前記第２の鉛直部材側で支持する第２のパネル支持部を備え、
前記第１のパネル支持部が、前記第１の鉛直部材から離隔し、前記第１の鉛直部材と前記第１の型枠パネルの間にコンクリートのかぶり厚さを確保する位置に配置されている型枠支持具。
【請求項２】
基部と、
前記基部から上方に延びる第１の鉛直部材と、
前記基部から上方に、前記第１の鉛直部材よりも高く延びる第２の鉛直部材と、
前記第１の鉛直部材と前記第２の鉛直部材の間に架け渡された水平部材と、を有し、
前記基部は、前記第１の鉛直部材に対して前記第２の鉛直部材とは反対側で、第１の型枠パネルを支持する第１のパネル支持部を有し、
前記水平部材よりも高い位置に配置された前記第２の鉛直部材の部分の前記第１の鉛直部材の側には、第２の型枠パネルを支持する第２のパネル支持部が取り付けられ、
前記第２の鉛直部材に対して前記第１の鉛直部材とは反対側に配置され、前記第２の鉛直部材に対する前記第２のパネル支持部の固定状態と固定解除状態を切り替え可能な固定手段とを有し、
前記第１のパネル支持部が、前記第１の鉛直部材から離隔し、前記第１の鉛直部材と前記第１の型枠パネルの間にコンクリートのかぶり厚さを確保する位置に配置されている型枠支持具。
【請求項３】
前記第１の型枠パネルがコンクリートの硬化後に脱枠される請求項１又は２に記載の型枠支持具。
【請求項４】
請求項１から請求項３のいずれか一項に記載の型枠支持具と、
略長方形の板状の本体と、前記本体の端部に形成された第１の立上部と、
前記本体の長手方向において、前記第１の立上部と離隔して、前記第１の立上部よりも前記本体の中間部側に配置された第２の立上部と、を備え、前記第１の立上部と前記第２の立上部の間で、前記本体が型枠パネルを支持する補助型枠支持具と、を有する型枠セット。
【請求項５】
請求項１から請求項３のいずれか一項に記載の型枠支持具と、
前記第１の型枠パネルとして用いられる、合板、樹脂パネル又はアルミパネルとを含む型枠セット。
【発明の詳細な説明】
【技術分野】
【０００１】
本願は、建物のコンクリート造の基礎を構築する際に用いる型枠支持具及び型枠セットに関するものである。
【背景技術】
【０００２】
従来、鉄筋コンクリート造のべた基礎と基礎立上り部のコンクリートの打設を１回で済ませることができる型枠構造及び枠板の保持具が提案されている（下記、特許文献１）。
【先行技術文献】
【特許文献】
【０００３】
【特許文献１】特開平９−２１７４８７号公報
【発明の概要】
【発明が解決しようとする課題】
【０００４】
近年の建設需要の高まりと、熟練工の高齢化、人手不足を背景に、建設工事の更なる容易化と工期短縮が求められている。
【０００５】
これに鑑みて、本願は、基礎工事の更なる容易化と工期短縮を実現する型枠セット及び型枠構造を提供することを目的とする。
【課題を解決するための手段】
【０００６】
本願の第１の態様に係る型枠支持具は、
基部と、
前記基部から上方に延びる第１の鉛直部材と、
前記基部から上方に延びる第２の鉛直部材と、
前記第１の鉛直部材と前記第２の鉛直部材の間に架け渡された水平部材と、
前記第２の鉛直部材に対する前記水平部材の固定状態と固定解除状態を切り替え可能な固定手段と、を有し、
前記基部は、前記第１の鉛直部材に対して前記第２の鉛直部材とは反対側で、第１の型枠パネルを支持する第１のパネル支持部を有し、
前記水平部材は、前記第１の型枠パネルに対向する第２の型枠パネルを、前記第２の鉛直部材側で支持する第２のパネル支持部を備え、
前記第１のパネル支持部が、前記第１の鉛直部材から離隔し、前記第１の鉛直部材と前記第１の型枠パネルの間にコンクリートのかぶり厚さを確保する位置に配置されている。
【０００７】
本願の第２の態様に係る型枠支持具は、
基部と、
前記基部から上方に延びる第１の鉛直部材と、
前記基部から上方に、前記第１の鉛直部材よりも高く延びる第２の鉛直部材と、
前記第１の鉛直部材と前記第２の鉛直部材の間に架け渡された水平部材と、を有し、
前記基部は、前記第１の鉛直部材に対して前記第２の鉛直部材とは反対側で、第１の型枠パネルを支持する第１のパネル支持部を有し、
前記水平部材よりも高い位置に配置された前記第２の鉛直部材の部分の前記第１の鉛直部材の側には、第２の型枠パネルを支持する第２のパネル支持部が取り付けられ、
前記第２の鉛直部材に対して前記第１の鉛直部材とは反対側に配置され、前記第２の鉛直部材に対する前記第２のパネル支持部の固定状態と固定解除状態を切り替え可能な固定手段とを有し、
前記第１のパネル支持部が、前記第１の鉛直部材から離隔し、前記第１の鉛直部材と前記第１の型枠パネルの間にコンクリートのかぶり厚さを確保する位置に配置されている。
【０００８】
本願の型枠セットは、上記第１の態様又は第２の態様の型枠支持具と、
略長方形の板状の本体と、前記本体の端部に形成された第１の立上部と、
前記本体の長手方向において、前記第１の立上部と離隔して、前記第１の立上部よりも前記本体の中間部側に配置された第２の立上部と、を備え、前記第１の立上部と前記第２の立上部の間で、前記本体が型枠パネルを支持する補助型枠支持具と、を有する。
【０００９】
また、本願の型枠セットは、上記第１の態様又は第２の態様の型枠支持具と、
前記第１の型枠パネルとして用いられる、合板、樹脂パネル又はアルミパネルとを含む。
【００１０】
本願発明によれば、基礎工事の更なる容易化と工期短縮を実現する型枠セット及び型枠構造を提供することができる。
【図面の簡単な説明】
【００１１】
【図１】図１は本願の第１実施形態に係る型枠構造を示す縦断面図である。
【図２】図２は本願の第１実施形態に係る型枠支持具を示す三面図である。図２（ａ）は正面図、図２（ｂ）は側面図、図２（ｃ）は底面図である。
【図３】図３は本願の第１実施形態に係る補助型枠支持具を示す二面図である。図３（ａ）は正面図、図３（ｂ）は底面図である。
【図４】図４は本願の第２実施形態に係る型枠構造を示す縦断面図である。
【図５】図５は本願の第２実施形態に係る型枠支持具を示す三面図である。図５（ａ）は正面図、図５（ｂ）は側面図、図５（ｃ）は底面図である。
【発明を実施するための形態】
【００１２】
（第１実施形態）
本願の第１実施形態に係る型枠セットを用いた型枠構造１０００と、この型枠構造１０００に用いる型枠支持具１００について、図１から図３を参照しながら説明する。図１は、型枠構造１０００を示す縦断面図である。なお、本願において、型枠セットとは、コンクリート型枠を構成する複数の部品の組み合わせを意味し、例えば、型枠支持具と後述の補助型枠支持具の組み合わせや、型枠支持具と後述の第１の型枠パネルの組み合わせを含む。
【００１３】
型枠構造１０００は、べた基礎１５５と、外壁を支持する基礎立上り部１５７を構築するために用いられる。型枠構造１０００は、図１に示すように、型枠支持具１００と、第１の型枠パネル１１０と、第２の型枠パネル１２０と、幅止め具１３０と、一対の補強材１４０ａ、１４０ｂとを有する。
【００１４】
図２は、型枠支持具１００を示す三面図である。型枠支持具１００は、基部１０１と、第１の鉛直部材１０２と、第２の鉛直部材１０３と、水平部材１０４と、固定手段１０５とを有する。
【００１５】
型枠支持具１００の基部１０１は、図２（ａ）及び（ｃ）に示すように、板状の部材から形成され、主に水平方向に広がる長方形状の部分から構成されている。第２の鉛直部材１０３とは反対側の基部１０１の端部には、上方に折れ曲がり、第１の鉛直部材１０２に対向する屈折端部１０１ａが形成されている。屈折端部１０１ａの略中央には、図２（ｂ）に示すように、基部１０１の長手方向に貫通した仮止め用孔部１０１ｂが形成されている。また、基部１０１には、上下方向に貫通し、長手方向に長い第１の長孔部１０１ｃ及び第２の長孔部１０１ｄが形成されている。基部１０１の上面で、第１の長孔部１０１ｃの短手方向の両側には、基部１０１の短手方向に直線状に延びる基準線１０１ｅが表示されている。
【００１６】
型枠支持具１００の第１の鉛直部材１０２は、図２（ａ）に示すように、その下部が基部１０１に固定され、上方に直線状に延びている。第１の鉛直部材１０２は、板状の部材から形成され、長手方向に対して垂直に切断した断面が概略Ｕ字型をしている。第１の鉛直部材１０２の下部は、屈折端部１０１ａ側に屈曲した固定部１０２ａを形成している。固定部１０２ａは、図２（ｃ）に示すように、第１のリベット１０２ｂによって基部１０１に固定されている。図２（ｂ）に示すように、第１の鉛直部材１０２には、基部１０１の長手方向に貫通し、上下方向に長いスリット部１０２ｃが形成されている。スリット部１０２ｃの長手方向に延びる両側面は、波型に形成されている。スリット部１０２ｃの両側には上下方向に等間隔に配置された目盛りが表示されている。
【００１７】
型枠支持具１００の第２の鉛直部材１０３は、第１の鉛直部材１０２と同様の構成をしており、第１の鉛直部材１０２に対向して基部１０１に固定されている。第１の鉛直部材１０２と第２の鉛直部材１０３は、基部１０１の長手方向において、それぞれ、基部１０１の両端から離隔した位置に配置されている。基部１０１に形成された第１の長孔部１０１ｃは、基部１０１の長手方向において、第１の鉛直部材１０２と第２の鉛直部材１０３の間に形成されている。第２の長孔部１０１ｄは、第２の鉛直部材１０３側の基部１０１の端部に形成されている。
【００１８】
第１の鉛直部材１０２と第２の鉛直部材１０３の間には、図２（ａ）に示すように、水平部材１０４が架け渡されている。水平部材１０４は、主に水平方向に広がる板状の部材から形成されている。水平部材１０４は、第２の鉛直部材１０３近傍から上方へ突出した突起片１０４ａを有している。水平部材１０４は、第１の鉛直部材１０２側の第１の端部１０４ｂと、第２の鉛直部材１０３側の第２の端部１０４ｃとを有している。第１の端部１０４ｂは、基部１０１側へ直角に屈曲し、第１の鉛直部材１０２に沿って配置されている。第２の端部１０４ｃも、基部１０１側へ直角に屈曲し、第２の鉛直部材１０３に沿って配置されている。第１の端部１０４ｂは、第３のリベット１０４ｄによって、第１の鉛直部材１０２に固定されている。第１の端部１０４ｂの高さは、第２の型枠パネル１２０の下端の高さに応じて設定することができる。第２の端部１０４ｃは、固定手段１０５によって、第２の鉛直部材１０３に固定される。
【００１９】
固定手段１０５は、第２の端部１０４ｃの固定状態と固定解除状態の切り替えが可能である。第２の端部１０４ｃの固定を解除することにより、水平部材１０４が弾性変形する範囲内で、第２の鉛直部材１０３側の水平部材１０４の部分を上下に移動させ、所望の位置で固定することができる。固定手段１０５としては、例えば、第２の鉛直部材１０３に形成されたスリットを通した部材を用いて第２の鉛直部材１０３を締付ける機構を採用することができ、例えば、ネジ、傾斜カムなどを用いた締付機構とすることができる。
【００２０】
型枠構造１０００において、型枠支持具１００は、図１に示すように、例えば、砕石敷き１５２の上に打設した均しコンクリート１５３の上に設置される。型枠支持具１００は、第１の鉛直部材１０２が建物の外側、第２の鉛直部材１０３が建物の内側に配置される。型枠支持具１００は、図２（ｃ）に示す第１の長孔部１０１ｃと第２の長孔部１０１ｄを通して均しコンクリート１５３に差し込んだ第１の固定具１５６ａと第２の固定具１５６ｂによって均しコンクリート１５３上に固定される。第１の固定具１５６ａ及び第２の固定具１５６ｂとしては、例えば、コンクリート釘やコンクリートビスを採用することができる。型枠支持具１００の位置決めは、均しコンクリート１５３上に墨出しした墨に基準線１０１ｅを合わせることで容易に行うことができる。また、型枠支持具１００を設置する均しコンクリート１５３の部分が傾斜している場合には、固定手段１０５による水平部材１０４の固定を解除して、容易に高さを調整することができる。
【００２１】
型枠支持具１００は所定の間隔で複数設置する。型枠支持具１００を設置した後は、第１の型枠パネル１１０の建て込み、鉄筋１５４の配筋、第２の型枠パネル１２０の建て込みの順に作業を進める。型枠支持具１００が第１の型枠パネル１１０と第２の型枠パネル１２０の位置決めの役割を果たすため、第１の型枠パネル１１０と第２の型枠パネル１２０の建て込みを容易に行うことができる。第１の型枠パネル１１０及び第２の型枠パネル１２０には、合板、樹脂パネル、アルミパネル等、コンクリートの硬化後に脱枠するものを用いる。合板としては、例えば、耐水ラワン合板を用いることができ、コンクリートと接する合板の面には剥離剤が塗布されることが好ましいが、予めウレタン塗装等のコーティングを施したものを用いても良い。樹脂パネルとしては、例えば、熱可塑性プラスチック原料により成形されたものを用いることができる。樹脂パネルは軽量であるため、樹脂パネルを用いることで、運搬しやすくなり、また、施工性が良いものとなる。
【００２２】
第１の型枠パネル１１０の下部は、屈折端部１０１ａに接して、屈折端部１０１ａと第１の鉛直部材１０２との間で、第１の鉛直部材１０２側の基部１０１の端部上に載置される。第１の鉛直部材１０２側の基部１０１の端部は、第１のパネル支持部を構成する。第１のパネル支持部は、第１の鉛直部材と離隔し、第１の鉛直部材１０２と第１の型枠パネル１１０の間にコンクリートのかぶり厚さを確保する位置に配置されている。これにより、第１の鉛直部材１０２が建物の外側のコンクリート表面に露出するのを防ぐことができる。第１の型枠パネル１１０の下部は、仮止め手段によって、型枠支持具１００に仮止めしても良い。仮止め手段としては、例えば、図２（ｂ）に示す仮止め用孔部１０１ｂを通して、第１の型枠パネル１１０の下部に打ち込むビス、釘等を採用することができる。第２の型枠パネル１２０の下部は、型枠支持具１００の第２の鉛直部材１０３と突起片１０４ａの間に挟まれ、水平部材１０４上に載置される。
【００２３】
第１の型枠パネル１１０と第２の型枠パネル１２０の上部には、図１に示すように、幅止め具１３０が取り付けられる。幅止め具１３０は、金属製の板材から形成され、長方形状の主部１３１と、主部１３１の両端部にそれぞれ設けられた第１の補強材保持部１３２と第２の補強材保持部１３３を有している。主部１３１は、それぞれ下方に突出した第１の突起部１３１ｂと第２の突起部１３１ｃとを有している。
【００２４】
第１の補強材保持部１３２と第２の補強材保持部１３３は、金属製の板材から形成され、主部１３１の短手方向に見たときに、それぞれ概略Ｕ字型をしている。第１の補強材保持部１３２と第２の補強材保持部１３３は、それぞれ、主部１３１側の上端部で主部１３１の端部と結合している。主部１３１とは反対側の第１の補強材保持部１３２の部分の中央には、板厚方向に貫通した不図示の第１の貫通孔部が形成されている。また、主部１３１とは反対側の第２の補強材保持部１３３の部分の中央にも、板厚方向に貫通した不図示の第２の貫通孔部が形成されている。
【００２５】
幅止め具１３０の設置は、図１に示すように、第１の補強材保持部１３２と第１の突起部１３１ｂの間に第１の型枠パネル１１０の上部を挟み、第２の補強材保持部１３３と第２の突起部１３１ｃの間に、第２の型枠パネル１２０の上部を挟むことで、容易に行うことができる。幅止め具１３０の固定は、主部１３１に形成された不図示の第１の孔部と第２の孔部を通して、第１の仮止め具１３４ａと第２の仮止め具１３４ｂを、それぞれ、第１の型枠パネル１１０と第２の型枠パネル１２０に打ち込むことにより、容易に行うことができる。第１の仮止め具１３４ａ、第２の仮止め具１３４ｂとしては、例えば、釘やビスを採用することができる。幅止め具１３０は基礎立上り部１５７の長手方向に所定の間隔で複数配置する。
【００２６】
幅止め具１３０を固定した後、第１の補強材保持部１３２と第２の補強材保持部１３３に、それぞれ第１の補強材１４０ａと第２の補強材１４０ｂを嵌め込む。第１の補強材１４０ａと第２の補強材１４０ｂは長尺の部材であり、基礎立上り部１５７の長手方向に沿って配置される。第１の補強材１４０ａ、第２の補強材１４０ｂとしては、例えば、桟木、鋼管などを用いることができる。第１の補強材１４０ａの仮止めは、第１の補強材保持部１３２に形成された上述の第１の貫通孔部を通して、第１の仮止め部材１４１ａを第１の補強材１４０ａに打ち込むことで、容易に行うことができる。第１の仮止め部材１４１ａとしては、例えば、釘、ビス等を採用することができる。これと同様に、第２の補強材１４０ｂの仮止めも、上述の第２の貫通孔部と第２の仮止め部材１４１ｂにより容易に行うことができる。第１の補強材１４０ａと第２の補強材１４０ｂを設けることで、型枠構造１０００の通りを良くし、型枠を堅固なものとすることができる。
【００２７】
上記型枠構造１０００を採用した場合、図１に示すように、基礎立上り部１５７の主筋１５１は、幅止め具１３０から吊り下げた懸垂材１４０によって保持することができる。懸垂材１４０としては、例えば、Ｓカンを採用することができる。型枠構造１０００によれば、べた基礎１５５と基礎立上り部１５７のコンクリート打設を同時に行うことができる。これにより、コンクリートの打設・養生のための工期の短縮と工事の容易化を実現することができる。
【００２８】
型枠支持具１００は、図３に示す補助型枠支持具２００とともに型枠セットとして用いることができる。補助型枠支持具２００は、基礎立上り部１５７の厚さ寸法（図１の左右方向の寸法）が、型枠支持具１００が想定する寸法よりも大きい場合に、第１の型枠パネル１１０を所定の位置で支持するために用いられる。図３（ａ）は補助型枠支持具２００の側面図であり、図３（ｂ）は補助型枠支持具２００の平面図である。補助型枠支持具２００は、略長方形の板状の本体２０１と、本体２０１の端部に形成された第１の立上部２０２と、本体の長手方向において、第１の立上部２０２よりも本体２０１の中間部側に配置された第２の立上部２０３とを備え、第１の立上部２０２と第２の立上部２０３の間で、本体２０１が第１の型枠パネル１１０（図１参照）を支持する。補助型枠支持具２００は、例えば、本体２０１に貫通孔部２０４を形成しておき、型枠支持具１００と同様に、貫通孔部２０４を通したコンクリート釘やコンクリートビスを使って均しコンクリート上の所定の位置に固定することができる。第１の立上部２０２には、第１の型枠パネル１１０を仮止めするための貫通孔２０５を形成しても良い。
【００２９】
（第２実施形態）
次に、本願の第２実施形態に係る型枠構造２０００と型枠支持具３００について図４及び図５を参照しながら説明する。図６は、型枠構造３０００を示す縦断面図である。型枠構造２０００は上記第１実施形態の型枠構造１０００と多くの点で共通するため、上記型枠構造１０００について参照符号を付して説明した部分に対応する部分については、上記型枠構造１０００の説明で使用した参照符号に２００を足した数字からなる参照符合を付し、重複する説明は省略する。例えば、第１実施形態の水平部材１０４に対応する第２実施形態の水平部材には「３０４」の参照符号を付する。
【００３０】
本第２実施形態の型枠構造２０００は、べた基礎３５５の厚さ寸法（図４の上下方向の寸法）が、上記第１実施形態よりも大きい場合に用いることができる。本第２実施形態に係る型枠支持具３００は、図５に示すように、第２の鉛直部材３０３が、基部３０１から上方に、第１の鉛直部材３０２よりも高く延びている。水平部材３０４は第１の鉛直部材３０２と第２の鉛直部材３０３にリベット３０４ｄにより固定されている。水平部材３０４よりも高い位置に配置された第２の鉛直部材３０３の部分には、第２の型枠パネル３２０を支持する第２のパネル支持部３０４ａが取り付けられている。第２のパネル支持部３０４ａは、第２の鉛直部材３０３に対する固定状態と固定解除状態を切替可能な固定手段３０５によって、任意の高さで第２の鉛直部材３０３に固定することができる。
【００３１】
図４に示すように、型枠支持具３００によれば、べた基礎１５５の上面が水平部材１０４よりも高い位置に配置される場合であっても、第２の型枠パネル３２０をべた基礎１５５の上方に配置することができる。また、水平部材３０４は、図４に示すように、水平方向に配置される鉄筋３６０を載置し、固定するために使用することができる。
【００３２】
本第２実施形態の型枠構造３０００によれば、上記第１実施形態と同様に、べた基礎３５５と基礎立上り部３５７のコンクリート打設を同時に行うことができる。これにより、コンクリートの打設・養生のための工期の短縮と工事の容易化を実現することができる。
【００３３】
本第２実施形態の型枠支持具３００も、上記第１実施形態において説明した補助型枠支持具２００とともに型枠セットとして用いることができる。これにより、基礎立上り部３５７の厚さ寸法が、型枠支持具３００が想定する寸法よりも大きい場合に、補助型枠支持具２００によって第１の型枠パネル３１０を所定の位置で支持するために用いることができる。
【００３４】
なお、本願発明は上記実施形態に限定されるものではなく、種々の変更・改良等が可能である。例えば、本願の型枠支持具及び補助型枠支持具は、一部又は全部を樹脂から形成することができる。
【符号の説明】
【００３５】
１００、３００  型枠支持具
１０１、３０１  基部
１０１ａ、３０１ａ  屈折端部
１０１ｂ  仮止め用孔部
１０１ｃ  第１の長孔
１０１ｄ  第２の長孔
１０１ｅ  基準線
１０２、３０２  第１の鉛直部材
１０２ａ  第１の固定部
１０２ｂ  第１のリベット
１０２ｃ  スリット部
１０３、３０３  第２の鉛直部材
１０３ａ、３０３ａ  第２の固定部
１０３ｂ、３０３ｂ  第２のリベット
１０４、３０４  水平部材
１０４ａ  突起片
３０４ａ  第２のパネル支持部
１０４ｂ  第１の端部
１０４ｃ  第２の端部
１０４ｄ、３０４ｄ  第３のリベット
１０５、３０５  固定手段
１１０、３１０  第１の型枠パネル
１２０、３２０  第２の型枠パネル
１３０、３３０  幅止め具
１３１、３３０  主部
１３１ｂ、３３１ｂ  第１の突起部
１３１ｃ、３３１ｃ  第２の突起部
１３２、３３２  第１の補強材保持部
１３３、３３３  第２の補強材保持部
１３４ａ、３３４ａ  第１の仮止め具
１３４ｂ、３３４ｂ  第２の仮止め具
１４０ａ、３４０ａ  第１の補強材
１４０ｂ、３４０ｂ  第２の補強材
１４１ａ、３４１ａ  第１の仮止め部材
１４１ｂ、３４１ｂ  第２の仮止め部材
１５２、３５２  砕石敷き
１５３、３５３  均しコンクリート
１５５、３５５  べた基礎
１５４  鉄筋
１５６ａ、３５６ａ  第１の固定具
１５６ｂ、３５６ｂ  第２の固定具
１５７、３５７  基礎立上り部
１０００、３０００  型枠構造
【要約】
【課題】  基礎工事の更なる容易化と工期短縮を実現する型枠セット及び型枠構造を提供する。
【解決手段】  基部１０１と、基部から上方に延びる第１の鉛直部材１０２と、基部から上方に延びる第２の鉛直部材１０３と、第１の鉛直部材と第２の鉛直部材の間に架け渡された水平部材１０４と、第２の鉛直部材に対する水平部材の固定状態と固定解除状態を切り替え可能な固定手段１０５と、を有し、基部は、第１の鉛直部材に対して第２の鉛直部材とは反対側で、第１の型枠パネル１１０を支持する第１のパネル支持部を有し、水平部材は、第２の鉛直部材側に第２の型枠パネル１２０を支持する第２のパネル支持部を備え、第１のパネル支持部が、第１の鉛直部材と離隔し、第１の鉛直部材と第１の型枠パネルの間にコンクリートのかぶり厚さを確保する位置に配置されている。
【選択図】  図１【図１】
0006975486.tif 000002
【図２】
0006975486.tif 000003
【図３】
0006975486.tif 000004
【図４】
0006975486.tif 000005
【図５】
0006975486.tif 000006